(57)【要約】【課題】住宅の室内に配置した直階段の下側空間を、機能的且つ効率的に有効利用することができる階段下構造の提供を目的とする。【解決手段】この階段下構造は、蹴込板を廃止したシースルータイプの直階段１０を、室内１の壁面１ａに沿って配置して、直階段１０の下側空間２０における一方の側面を、室内１の壁面１ａによって閉塞するとともに、下側空間２０のうち直階段１０の下半分１０ａの下側に位置する小空間２１における他方の側面を、間仕切り壁７によって閉塞して、下側空間２０のうち直階段１０の上半分１０ｂの下側に位置する大空間２２における他方の側面を、開放状態としている。【選択図】図２
2013057172.tif 000002
【特許請求の範囲】
【請求項１】
蹴込板を廃止したシースルータイプの直階段（１０）を、室内（１）の壁面（１ａ）に沿って配置して、前記直階段（１０）の下側空間（２０）における一方の側面を、前記室内（１）の壁面（１ａ）によって閉塞するとともに、前記下側空間（２０）のうち前記直階段（１０）の下半分（１０ａ）の下側に位置する小空間（２１）における他方の側面を、前記室内（１）の壁面（１ａ）に対して前記直階段（１０）を挟んで対向し、且つ、前記室内（１）の床面（１ｂ）と天井面（１ｃ）とに跨るように配置した間仕切り壁（７）によって閉塞して、前記下側空間（２０）のうち前記直階段（１０）の上半分（１０ｂ）の下側に位置する大空間（２２）における他方の側面を、開放状態としたことを特徴とする住宅の階段下構造。
【請求項２】
前記大空間（２２）の他方の側面に対して直交する前記大空間（２２）の階段上端側の前面を、開放状態とした請求項１記載の住宅の階段下構造。
【請求項３】
前記大空間（２２）の他方の側面に対して直交する前記大空間（２２）の階段上端側の前面を、前記室内（１）の壁面（１ａ）に対して直交し、且つ、前記室内（１）の床面（１ｂ）と天井面（１ｃ）とに跨るように配置した別の間仕切り壁（３０）によって閉塞するとともに、前記室内（１）の壁面（１ａ）に前記大空間（２２）の一方の側面を開放状態とする出入口（３３）を形成して、前記室内（１）と別の室内（３４）とを前記大空間（２２）を介して出入可能に連通した請求項１記載の住宅の階段下構造。
【請求項４】
前記間仕切り壁（７）と別の間仕切り壁（３０）とを、前記室内（１）の壁面（１ａ）に対して前記直階段（１０）を挟んで対向し、且つ、前記室内（１）の天井面（１ｃ）から垂下した垂れ壁（３１）を介して連結した請求項３記載の住宅の階段下構造。
【請求項５】
前記下側空間（２０）の床仕様を、前記室内（１）の主空間の床仕様と同じにした請求項１乃至４のいずれかに記載の住宅の階段下構造。
【発明の詳細な説明】
【技術分野】
【０００１】
この発明は、住宅の室内に配置した直階段の下側空間を有効利用するための階段下構造に関する。
【背景技術】
【０００２】
従来より、住宅の室内に配置した直階段の下側空間を、壁や建具によって覆い隠して、収納空間として利用するといった提案がなされている（例えば、特許文献１参照）。ところが、特に狭小な室内においては、直階段の下側空間を収納空間として利用すると、その分だけ室内の生活空間が狭められて、窮屈感や圧迫感を与えてしまうといった不具合があった。
【０００３】
一方で、住宅の室内に配置した直階段の下側空間を、壁や建具によって覆い隠すことなく開放して、室内の生活空間に一体的に連続させることで、生活空間の一部として利用することも日常的になされている。ところが、直階段の下側空間のうち、特に直階段の下半分の下側に位置する小空間は、高さが低くて狭いことから、生活空間としての使い勝手が悪く、しかも開放することで人目につき易くなることから、収納空間としての利用にも適さず、デッドスペースとなり易いといった不具合があった。
【先行技術文献】
【特許文献】
【０００４】
【特許文献１】特開平８−１２８２１６号公報
【発明の概要】
【発明が解決しようとする課題】
【０００５】
このように、従来においては、住宅の室内に配置した直階段の下側空間を、収納空間や生活空間の一部として利用してはいるものの、今一つ機能性や効率性に欠けていて、十分な有効利用が図れていないのが実情であった。
【０００６】
そこで、この発明は、上記の不具合を解消して、住宅の室内に配置した直階段の下側空間を、機能的且つ効率的に有効利用することができる階段下構造の提供を目的とする。
【課題を解決するための手段】
【０００７】
上記課題を解決するため、この発明の住宅の階段下構造は、蹴込板を廃止したシースルータイプの直階段１０を、室内１の壁面１ａに沿って配置して、前記直階段１０の下側空間２０における一方の側面を、前記室内１の壁面１ａによって閉塞するとともに、前記下側空間２０のうち前記直階段１０の下半分１０ａの下側に位置する小空間２１における他方の側面を、前記室内１の壁面１ａに対して前記直階段１０を挟んで対向し、且つ、前記室内１の床面１ｂと天井面１ｃとに跨るように配置した間仕切り壁７によって閉塞して、前記下側空間２０のうち前記直階段１０の上半分１０ｂの下側に位置する大空間２２における他方の側面を、開放状態としたことを特徴とする。そして、前記下側空間２０の床仕様を、前記室内１の主空間の床仕様と同じにしている。
【０００８】
また、前記大空間２２の他方の側面に対して直交する前記大空間２２の階段上端側の前面を、開放状態としている。
【０００９】
さらに、前記大空間２２の他方の側面に対して直交する前記大空間２２の階段上端側の前面を、前記室内１の壁面１ａに対して直交し、且つ、前記室内１の床面１ｂと天井面１ｃとに跨るように配置した別の間仕切り壁３０によって閉塞するとともに、前記室内１の壁面１ａに前記大空間２２の一方の側面を開放状態とする出入口３３を形成して、前記室内１と別の室内３４とを前記大空間２２を介して出入可能に連通している。さらにまた、この場合、前記間仕切り壁７と別の間仕切り壁３０とを、前記室内１の壁面１ａに対して前記直階段１０を挟んで対向し、且つ、前記室内１の天井面１ｃから垂下した垂れ壁３１を介して連結している。
【発明の効果】
【００１０】
この発明の住宅の階段下構造によれば、直階段の下側空間は、その大空間の他方の側面が開放されているので、室内の生活空間に一体的に連続した状態となって、生活空間の一部として有効に利用することができる。さらに、下側空間は、その上方がシースルータイプの直階段によって覆われ、その一方の側面が室内の壁面によって覆われ、他方の側面が間仕切り壁によって半分程度覆われた状態となっているので、単に生活空間を拡張するだけではなく、光や風が通り抜ける開放感と適度な囲われ感を両立した特異な空間となり、例えば簡易な居室等として多目的に利用することができる。しかも、下側空間のうち、特に高さが低くて狭くなっている小空間が重点的に覆われて、人目につき難い状態となっているので、生活空間としての使い勝手が今一つの小空間を、収納空間や物干し空間として有効に利用することができる。これにより、直階段の下側空間を、機能的且つ効率的に有効利用することができる。
【００１１】
また、直階段の下側空間における大空間の階段上端側の前面を開放することで、直階段の下側空間における室内の生活空間との繋がりが良好になり、生活空間の一部としての使い勝手を向上することができる。
【００１２】
さらに、直階段の下側空間における大空間の階段上端側の前面を別の間仕切り壁によって覆うとともに、大空間の一方の側面を出入口によって開放して、室内と別の室内とを大空間を介して出入可能に連通することで、直階段の下側空間を、ある程度の広がりを持った通路として利用することができるとともに、室内及び別の室内の生活空間の一部として共有することができ、利便性を高めることができる。さらにまた、間仕切り壁と別の間仕切り壁とを垂れ壁を介して連結することで、直階段全体を連続した壁で囲って見栄えを良好にすることができるとともに、直階段の昇降時の安全性を高めることができる。
【００１３】
また、直階段の下側空間の床仕様を室内の生活空間の床仕様に合わせることで、室内の生活空間と下側空間との一体感を高めることができ、下側空間を生活空間の一部として違和感なく利用することができる。
【図面の簡単な説明】
【００１４】
【図１】この発明の第１実施形態に係る階段下構造を示す斜視図である。
【図２】同じくその側面図である。
【図３】同じくその横断面図である。
【図４】直階段の設置構造を示す縦断面図である。
【図５】第２実施形態に係る階段下構造を示す斜視図である。
【図６】同じくその側面図である。
【図７】同じくその横断面図である。
【発明を実施するための形態】
【００１５】
以下、この発明の実施形態を図面に基づいて詳細に説明する。この発明の第１実施形態に係る階段下構造は、図１乃至図３に示すように、例えば狭小住宅における１階の室内１に適用されており、シースルータイプの直階段１０を使用して、その下側空間２０の有効利用を図るようにしている。
【００１６】
なお、室内１には、キッチン２、ダイニング３、リビング４が一続きに設けられ、これらキッチン２、ダイニング３、リビング４によって室内１の主空間（生活空間）が構成されており、またキッチン２と玄関５とが壁６を介して隣接されている。
【００１７】
直階段１０は、図１及び図４に示すように、左右一対のささら桁１２間に複数の段板１３を段差状に差し渡すことによってユニット化されており、段板１３間において蹴込板が廃止されていて、段板１３間の隙間を通して光や風が通り抜けるようになっている。この直階段１０は、ささら桁１２の上端部が連結具を介して２階床梁１５に固定され、ささら桁１２の下端部が連結具を介して１階土間コンクリート１６に固定された状態で、室内１における長手方向の壁面１ａに沿って配置されている。
【００１８】
この直階段１０の下半分１０ａは、室内１の壁面１ａと間仕切り壁７とによって挟まれた状態となっていて、直階段１０の上半分１０ｂは、一方の側面側に室内１の壁面１ａが存在するだけとなっている。間仕切り壁７は、室内１の壁面１ａに対して直階段１０を挟んで対向し、且つ、室内１の床面１ｂと天井面１ｃとに跨るように配置されている。
【００１９】
直階段１０の下側空間２０は、直階段１０の下半分１０ａの下側に位置する側断面略三角形状の小空間２１と、直階段１０の上半分１０ｂの下側に位置する側断面略台形状の大空間２２とが連続した状態となっている。そして、下側空間２０における一方の側面が、室内１の壁面１ａによって閉塞され、下側空間２０のうち小空間２１における他方の側面が、間仕切り壁７によって閉塞されて、下側空間２０のうち大空間２２における他方の側面、及び、この他方の側面に対して直交する階段上端側の前面が、開放状態とされている。なお、図２中、白抜き矢印は前後方向を示している。
【００２０】
また、下側空間２０の床仕様は、室内１の主空間（生活空間）の床仕様と同じフローリング仕上げとされていて、室内１の主空間（生活空間）の床と下側空間２０の床とが見境なく連続した状態となっている。
【００２１】
上記構成により、直階段１０の下側空間２０は、その大空間２２の他方の側面及び前面が開放されていることで、室内１の生活空間に一体的に連続した状態となって、生活空間の一部として有効に利用することができる。さらに、下側空間２０は、その上方がシースルータイプの直階段１０によって覆われ、その一方の側面が室内１の壁面１ａによって覆われ、他方の側面が間仕切り壁７によって半分程度覆われた状態となっているので、単に生活空間を拡張するだけではなく、光や風が通り抜ける開放感と適度な囲われ感を両立した特異な空間となり、例えば書斎や子どもの遊び場等のような簡易な居室として多目的に利用することができる。なお、図１乃至図３においては、室内１の生活空間と下側空間２０とに跨るようにして、室内１の壁面１ａに沿って長机８を設けて、大空間２２を書斎として利用した例を示している。
【００２２】
しかも、下側空間２０のうち、特に高さが低くて狭くなっている小空間２１が重点的に覆われて、人目につき難い状態となっているので、生活空間としての使い勝手が今一つの小空間２１を、収納空間や物干し空間として有効に利用することができる。
【００２３】
次に、第２実施形態に係る階段下構造について説明する。この第２実施形態に係る階段下構造では、図５乃至図７に示すように、直階段１０の下側空間２０において、その大空間２２の階段上端側の前面が、別の間仕切り壁３０によって閉塞され、間仕切り壁７と別の間仕切り壁３０とが垂れ壁３１を介して連結されている。
【００２４】
別の間仕切り壁３０は、室内１の壁面１ａに対して直交し、且つ、室内１の床面１ｂと天井面１ｃとに跨るように配置されている。また、垂れ壁３１は、室内１の壁面１ａに対して直階段１０を挟んで対向し、且つ、室内１の天井面１ｃから垂下されている。
【００２５】
そして、この垂れ壁３１の直下における間仕切り壁７と別の間仕切り壁３０との間の開口部分３２によって、大空間２２の他方の側面が開放状態とされている。また、室内１の壁面１ａには、大空間２２の一方の側面を開放状態とする出入口３３が形成されている。そして、開口部分３２と出入口３３とは大空間２２を挟んで対向配置されていて、これにより室内１と別の室内３４とが大空間２２を介して出入可能に連通された状態となっている。
【００２６】
なお、室内１には、ダイニング３５、リビング３６が一続きに設けられ、これらダイニング３５、リビング３６によって室内１の主空間（生活空間）が構成されており、また別の室内３４には、キッチン３７が設けられ、このキッチン３７によって別の室内３４の主空間（生活空間）が構成されている。
【００２７】
また、下側空間２０の床仕様は、室内１の主空間（生活空間）及び別の室内３４の主空間（生活空間）の床仕様と同じフローリング仕上げとされていて、これら室内１、３４の主空間（生活空間）の床と下側空間２０の床とが見境なく連続した状態となっている。
【００２８】
上記構成により、直階段１０の下側空間２０は、その大空間２２の両方の側面が開放されて、室内１と別の室内３４とを繋ぐある程度の広がりを持った通路として利用することができるとともに、室内１及び別の室内３４の生活空間の一部として共有することができる。さらに、下側空間２０は、その上方がシースルータイプの直階段１０によって覆われ、小空間２１の一方の側面が室内１の壁面１ａによって覆われ、小空間２１の他方の側面が間仕切り壁７によって覆われ、大空間２２の前面が別の間仕切り壁３０によって覆われた状態となっているので、光や風が通り抜ける開放感と適度な囲われ感を両立した特異な空間となり、簡易な居室としても利用することができる。なお、第２実施形態におけるその他の構成及び作用効果は、第１実施形態と同様である。
【００２９】
以上に、この発明の具体的な実施の形態について説明したが、この発明は、上記実施形態に限定されるものではなく、この発明の範囲内で上記実施形態に多くの修正及び変更を加え得ることは勿論である。例えば、シースルータイプの直階段としては、上記のようにユニット化されたものだけに限らず、造り付けのものであっても良い。また、直階段の下側空間の床仕様は、必ずしも室内の主空間の床仕様と同じにする必要はなく、フローリング以外のタイルやカーペット等であっても良い。
【符号の説明】
【００３０】
１・・室内、１ａ・・壁面、１ｂ・・床面、１ｃ・・天井面、７・・間仕切り壁、１０・・直階段、１０ａ・・直階段の下半分、１０ｂ・・直階段の上半分、２０・・下側空間、２１・・小空間、２２・・大空間、３０・・別の間仕切り壁、３１・・垂れ壁、３３・・出入口、３４・・別の室内
【図１】
2013057172.tif 000003
【図２】
2013057172.tif 000004
【図３】
2013057172.tif 000005
【図４】
2013057172.tif 000006
【図５】
2013057172.tif 000007
【図６】
2013057172.tif 000008
【図７】
2013057172.tif 000009